(57)【要約】【課題】本発明は、キャニスタ本体の壁に一体に凹部を形成してウイングガイド部等を形成し、軽量化、剛性の向上を計ることを目的とする。【解決手段】本発明によるミサイルキャニスタは、キャニスタ本体（１）の壁（１ａ）の各一面（２、３）に一体にウイングガイド部（４、５）を形成し、前記壁（１ａ）の他面（６）に第１凹部（２０）を形成し、この第１凹部（２０）内に配線（７）等を配設した構成である。【選択図】        図１
2004226007.tif 000002
【特許請求の範囲】
【請求項１】
筒状をなしミサイル（１１）を案内するためのガイドレール部（１２）を有するキャニスタ本体（１）と、前記キャニスタ本体（１）に設けられ前記ミサイル（１１）のウイング（１３、１４）を案内するためのウイングガイド部（４、５）とを有するミサイルキャニスタにおいて、
前記ウイングガイド部（４、５）は、前記キャニスタ本体（１）の壁（１ａ）を一体に内側へ突出させて延設した構成よりなることを特徴とするミサイルキャニスタ。
【請求項２】
前記キャニスタ本体（１）の前記ウイングガイド部（４、５）が形成されている一面（２、３）とは異なる少なくとも１つの他面（６）には、前記壁（１ａ）を一体に内側へ突出させて形成した第１凹部（２０）が形成され、前記第１凹部（２０）内には少なくとも配線が設けられていることを特徴とする請求項１記載のミサイルキャニスタ。
【請求項３】
前記キャニスタ本体（１）の前記他面（６）と対向するもう一方の他面（１０）には、前記壁（１ａ）を一体に内側へ突出させて形成した第２凹部（２１）が形成され、前記第２凹部（２１）の内面（２１ａ）には前記ガイドレール部（１２）が設けられていることを特徴とする請求項２記載のミサイルキャニスタ。
【請求項４】
前記キャニスタ本体（１）の前記ウイングガイド部（４、５）が形成されている一面（２、３）とは異なる少なくともひとつの他面（１０）には、前記壁（１ａ）を一体に内側へ突出させて形成した第２凹部（２１）が形成され、前記第２凹部（２１）の内面（２１ａ）には前記ガイドレール部（１２）が設けられていることを特徴とする請求項１記載のミサイルキャニスタ。
【発明の詳細な説明】
【０００１】
【発明の属する技術分野】
本発明は、ミサイルキャニスタに関し、特に、キャニスタ本体に別体として設けるウイングガイド部及び配線を設ける配線取付部等を、キャニスタ本体の壁を内側へ向けて変形させることにより一体形成し、構造の簡略化と軽量化及び剛性の向上を得るための新規な改良に関する。
【０００２】
【従来の技術】
従来、用いられていたこの種のミサイルキャニスタとしては、図２で示される構成があり、類似の構成としては、例えば特許文献１が存在していた。
図２において、符号１で示されるものは、金属製で全体形状が四角筒形をなすキャニスタ本体であり、このキャニスタ本体１の両側の一面２、３の内面には、半円状の突起物からなる一対のウイングガイド部４、５が別体としてボルト等によって取付けられている。
【０００３】
前記一面２、３と直交する他面６の内面には、配線７及び配管８等を収容するためのカバー体９が設けられている。
前記他面６と対向するもう一方の他面１０の内面には、ミサイル１１の周面１１ａを案内するためのガイドレール部１２が設けられ、このガイドレール部１２の内面に形成された円弧面１２ａが前記周面１１ａに摺接している。また、前記ミサイル１１の両側には、一対のウイング１３、１４が折りたたまれた状態で設けられている。
【０００４】
従って、前述の状態で、ミサイル１１に点火が行われて発射されると、ミサイル１１の周面１１ａはガイドレール部１２の円弧面１２ａによって案内され、前記ミサイル１１の一対のウイング１３、１４は折りたたまれた状態で前記各ウイングガイド部４、５に摺接して発射時の姿勢が保持されるように構成されている。
【０００５】
【特許文献１】
特開平７−１５１４９７号公報
【０００６】
【発明が解決しようとする課題】
従来のミサイルキャニスタは、以上のように構成されているため、次のような課題が存在していた。
すなわち、キャニスタ本体の内面に、別体として形成された一対のウイングガイド部及びカバー体をボルト等で取付けなければならず、その製造コストが余分にかかると共に、キャニスタ本体に対して重量が余分に付加されることとなり、軽量化を行うには障害となっていた。
【０００７】
本発明は、以上のような課題を解決するためになされたもので、特に、キャニスタ本体に別体として設けるウイングガイド部及び配線を設ける配線取付部等を、キャニスタ本体の壁を内側へ向けて変形させることにより一体形成し、構造の簡略化と軽量化及び剛性の向上を得るようにしたミサイルキャニスタを提供することを目的とする。
【０００８】
【課題を解決するための手段】
本発明によるミサイルキャニスタは、筒状をなしミサイルを案内するためのガイドレール部を有するキャニスタ本体と、前記キャニスタ本体に設けられ前記ミサイルのウイングを案内するためのウイングガイド部とを有するミサイルキャニスタにおいて、前記ウイングガイド部は、前記キャニスタ本体の壁を一体に内側へ突出させて延設した構成であり、また、前記キャニスタ本体の前記ウイングガイド部が形成されている一面とは異なる少なくとも１つの他面には、前記壁を一体に内側へ突出させて形成した第１凹部が形成され、前記第１凹部内には少なくとも配線が設けられている構成であり、また、前記キャニスタ本体の前記他面と対向するもう１つの他面には、前記壁を一体に内側へ突出させて形成した第２凹部が形成され、前記第２凹部の内面には前記ガイドレール部が設けられている構成であり、また、前記キャニスタ本体の前記ウイングガイド部が形成されている一面とは異なる少なくともひとつの他面には前記壁を一体に内側へ突出させて形成した第２凹部が形成され、前記第２凹部の内面には前記ガイドレール部が設けられている構成である。
【０００９】
【発明の実施の形態】
以下、図面と共に本発明によるミサイルキャニスタの好適な実施の形態について説明する。尚、従来例と同一又は同等部分については同一符号を付し、その説明をする。
図１において符号１で示されるものは、金属製で全体形状が四角筒形をなすキャニスタ本体であり、このキャニスタ本体１の両側の一面２、３の内面には、このキャニスタ本体１の壁１ａを一体に絞って内側へ断面ほぼ半円状に形成したウイングガイド部４、５が形成されている。
前記各ウイングガイド部４、５は、このキャニスタ本体１の長手方向に沿って突状に形成されている。
【００１０】
前記キャニスタ本体１の前記一面２、３と直交する各他面６、１０のうちの一方の他面６の内面には、前記壁１ａから一体に絞り込んで形成した第１凹部２０が形成され、この第１凹部２０内には、配線７及び配管８等が収容されている。
【００１１】
前記キャニスタ本体１の前記他面６と対向するもう一方の他面１０には、前記第１凹部２０と同様に前記壁１ａを絞って形成した第２凹部２１が形成され、この第２凹部２１の内面２１ａにはミサイル１１の周面１１ａを案内するためのガイドレール部１２が設けられている。尚、このガイドレール部１２は、第２凹部２１の内側に設けられているため、その長さが従来よりも短くなり、材料の低減化及び低重量化が得られる。このガイドレール部１２の内面に形成された円弧面１２ａは前記ミサイル１１の周面１１ａに摺接し、前記ミサイル１１の両側には一対のウイングガイド部４、５に摺接する一対のウイング１３、１４が設けられている。尚、図１の中でハンチングで示す部分は、従来構成に比較してキャニスタ本体１の形状が窪んで小型化される状態を示している。尚、前述の場合、少なくともひとつの他面６に凹部２０が形成されて配線、配管を設けているが、もう一方の他面１０にも凹部２１を形成し、配線、配管を設けることもできる。
【００１２】
従って、前述の状態で、ミサイル１１に点火が行われて発射されると、ミサイル１１の周面１１ａはガイドレール部１２の円弧面１２ａによって案内され、前記ミサイル１１の一対のウイング１３、１４は前記ウイングガイド部４、５に摺接して発射時の姿勢が保持される。
【００１３】
尚、前記各ウイングガイド部４、５は、同一形状で形成され、前記第１、第２凹部２０、２１は全く同一形状にて形成されている。尚、キャニスタ本体１の壁１ａと一体形成されたウイングガイド部のウイング１４と接する面に、摩擦を減じるために、テフロン（登録商標）テープ等を貼る、硬質メッキを施す、二硫化モリブデン等の潤滑剤を塗布する等の処理を行ってもよいことは述べるまでもないことである。
【００１４】
【発明の効果】
本発明によるミサイルキャニスタは、以上のように構成されているため、次のような効果を得ることができる。
すなわち、キャニスタ保持の各ウイングガイド部をキャニスタ本体の壁で一体形成し、配線等を収容するためのケース部をこのキャニスタ本体の壁で凹部として一体形成しているため、従来のように別体としての部品を作る必要がなく、コストダウン及び軽量化が計れると共に、各凹部形状によってキャニスタ本体の剛性が向上する。
【図面の簡単な説明】
【図１】本発明によるミサイルキャニスタを示す平面図である。
【図２】従来のミサイルキャニスタを示す平面図である。
【符号の説明】
１    キャニスタ本体
１ａ    壁
２、３    一面
４、５    ウイングガイド部
６    他面
７    配線
１０    他面
１１    ミサイル
１２    ガイドレール部
１３、１４    ウイング
２０    第１凹部
２１    第２凹部
２１ａ    内面
【図１】
2004226007.tif 000003
【図２】
2004226007.tif 000004